(57)【要約】【課題】面状照明装置の、光源側とそれに対向する側との出射光の色変化を改善する。【解決手段】導光板１２内の伝播の過程で白色光の青色成分が吸収されて、主面１２ａからの出射光における青色光の光度は、入光面側から終端面側に向かって次第に低下する。かかる低下を、少なくとも導光板１２の端面１２ｄに配置された青色光反射手段により、導光板１２の端面側から漏れ出る青色光を反射させて再び導光板１２に入射させ、更に主面１２ａに形成されたドットパターンにより偏向して、導光板の主面１２から出射させ、青色光の利用効率を向上させることにより補う。この青色光反射手段は、ハウジングフレーム２０自体が、青色光反射素材により構成されるものであっても良く、終端面１２ｄと対向する部分２０ａに、青色光反射素材を塗布することとしても良い。【選択図】図１
2012094283.tif 000002
【特許請求の範囲】
【請求項１】
導光板と、該導光板の一側端面に配置された白色光源とを含み、該白色光源からの出射光が、前記一側端面から導光板の内部へと入射した後、主面と該主面に対向するもう一方の主面との間で反射を繰返しながら導光板内を伝播し、その過程で前記主面から出射する面状照明装置であって、
前記導光板の少なくとも前記一側端面と対向する端面に、青色光反射手段が配置され、
前記導光板の少なくとも一方の主面に、ドットパターンが形成されていることを特徴とする面状照明装置。
【請求項２】
前記ドットパターンの面積密度は、前記一側端面からの距離に応じて増大することを特徴とする請求項１項記載の面状照明装置。
【請求項３】
前記青色光反射手段は、前記導光板の側端面を囲うようにして配置されるハウジングフレームにより構成され、又は、該ハウジングフレームと前記導光板との間に配置されることを特徴とする請求項１又は２記載の面状照明装置。
【請求項４】
前記白色光源は白色ＬＥＤからなり、前記青色光反射手段は、波長４３０ｎｍ近辺での分光反射率が大きいことを特徴とする請求項１から３のいずれか１項記載の面状照明装置。
【請求項５】
前記導光板は、ポリカーボネート樹脂からなることを特徴とする請求項１から４のいずれか１項記載の面状照明装置。
【発明の詳細な説明】
【技術分野】
【０００１】
本発明は、液晶表示装置等の照明手段として用いられる面状照明装置に関する。
【背景技術】
【０００２】
今日、パーソナルコンピュータや携帯電話等の電子装置の表示デバイスとして、液晶表示装置が一般的に使用されている。液晶は自発光型の表示素子ではないため、例えば透過型の液晶表示装置では、その液晶パネルに対して光を照射する照明手段が必須であり、外光を利用する半透過型の液晶表示装置でも、暗所での使用を可能にするために補助的な照明手段を備えている。このような液晶表示装置の照明手段としては、導光板と導光板の側方に配置された光源とを主要な構成要素とする面状照明装置が、薄型化が容易であるという利点を有することから、液晶表示装置と組合せて広く使用されている。又、近年の白色発光ダイオード（ＬＥＤ）の高性能化に伴い、面状照明装置のさらなる小型・薄型化及び低消費電力化を図るため、光源として白色ＬＥＤを使用した面状照明装置も一般的となっている。
【０００３】
図３は、このような面状照明装置の要部を示す分解斜視図である。図３において、面状照明装置１００は、導光板１０１と、導光板１０１の一側端面である入光面１０１ｃの側方に配置された白色ＬＥＤ１０２と、導光板１０１の光の出射面（主面）１０１ａと対向する下面（もう一方の主面）１０１ｂ側に配置された、光反射シート１０３とを備えている。導光板１０１は、ポリカーボネート樹脂等の透明樹脂材料からなる板状の導光体であり、ポリカーボネート樹脂は、耐熱性及び耐衝撃性に優れているため、特に携帯用電子機器等で使用される面状照明装置用の導光板材料として好適なものである。又、光反射シート１０３は、通常、白色フィルムや銀蒸着フィルム等からなる拡散反射又は正反射部材である。
【０００４】
なお、必要に応じ、導光板１０１の主面１０１ａ、１０１ｂには、平面視で略円状、略点状、略四角形状等からなる、例えばドーム状の複数のドットが設けられている。また、複数のドットは、通常、出射面１０１ａから出射する照明光の輝度分布を向上させるために、入光面１０１ｃからの距離に応じて面積密度が大きくなるように設けられている。
【０００５】
かかる面状照明装置１００において、白色ＬＥＤ１０２からの出射光は、入光面１０１ｃから導光板１０１の内部へと入射した後、出射面１０１ａと下面１０１ｂとの間で反射を繰返しながら終端面１０１ｄ側へ伝播し、その過程で、下面１０１ｂに設けられた正反射手段又は拡散反射手段である光反射シート１０３によって反射され、反射された光の一部が出射面１０１ａから出射し、液晶パネル等の被照明体を照射する。
【０００６】
ところで、導光板１０１の材料には、一般に、面状照明装置の高輝度化のために高い透明性が求められる。この点に関して、上述したポリカーボネート樹脂は、全体として比較的良好な透明性を有するものの、その分光光線透過率は短波長側で急激に低下し、この透過率の低下は、光線が通過する板厚の増大に伴って可視光の波長領域にまで及ぶことが知られている。具体的には、長波長側（約５００ｎｍ以上）の透過率が約８９．５％程度に維持されるのに対して、青色光に相当する短波長側の波長領域（波長４００〜４５０ｎｍ）の透過率は、約８８〜８９％程度にまで低下する。したがって、導光板に入光した白色光は、通常、少なくとも数十ミリメートル程度の距離に渡ってその内部を伝播するため、ポリカーボネート樹脂からなる導光板１０１では、伝播の過程で白色光の青色成分が吸収されて、出射面１０１ａからの出射光における青色光の光束は、入光面１０１ｃ側から終端面１０１ｄ側に向かって次第に低下することになる。
【０００７】
一方、現在、ＬＥＤにおける白色光の発光は、青色発光素子からの青色光と、その青色光を吸収して補色である黄色光を発光する蛍光体等からの黄色光とを混色する方式が主流であり（例えば、特許文献１参照）、この方式による白色ＬＥＤの典型的な分光光度は、図４に示すようなものになる。図４において、波長４５０ｎｍ付近に鋭いピークを示す部分が発光素子から直接放射される青色光に相当し、波長５８０ｎｍ付近に緩やかなピークを示す部分が蛍光体等から放射される黄色光に相当する。従来の面状照明装置において、このような白色ＬＥＤを、ポリカーボネート樹脂からなる導光板１０１と組合せて面状照明装置１００を構成する場合、導光板１０１による青色成分の吸収の影響が顕著に現れるため、終端面１０１ｄ付近での出射光が黄色に変色するという問題があった。従来、このような問題に対して、ポリカーボネート樹脂にアクリル系樹脂等を混合することにより、その分光光線透過率特性を改善することが提案されている（例えば、特許文献２参照）。
【先行技術文献】
【特許文献】
【０００８】
【特許文献１】特開２００３−１７９２５９号公報
【特許文献２】特開２００２−６０６０９号公報
【発明の概要】
【発明が解決しようとする課題】
【０００９】
しかしながら、特許文献２に記載されたような樹脂組成物は、従来のポリカーボネート樹脂と比較して高価なものになると共に、その分光光線透過率特性は、青色成分の透過率とそれよりも長波長側の透過率とのバランスに関して、必ずしも十分なものであるとは言えない。
上記課題に鑑みて、本発明は、従来の導光板材料を使用しながら、光源側と光源に対向する側との出射光の色変化を改善する面状照明装置を提供することを目的とする。
【課題を解決するための手段】
【００１０】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【００１１】
（１）導光板と、該導光板の一側端面に配置された白色光源とを含み、該白色光源からの出射光が、前記一側端面から導光板の内部へと入射した後、主面と該主面に対向するもう一方の主面との間で反射を繰返しながら導光板内を伝播し、その過程で前記主面から出射する面状照明装置であって、前記導光板の少なくとも前記一側端面と対向する端面に、青色光反射手段が配置されている面状照明装置。
【００１２】
本項に記載の面状照明装置は、白色光源からの出射光が、導光板の一側端面から導光板の内部へと入射した後、主面ともう一方の主面との間で反射を繰返しながら一側端面と対向する端面側へ伝播し、その過程で、白色光の一部が主面から出射し、液晶パネル等の被照明体を照射する。この際、導光板内の伝播の過程で白色光の青色成分が吸収されて、主面からの出射光における青色光の光束は、入光面である一側端面と対向する端面（終端面）側に向かって次第に低下する。かかる青色光の光束の低下を、導光板の少なくとも一側端面と対向する端面に配置された青色光反射手段により、導光板の端面側から漏れ出る青色光を反射させて再び導光板に入射させ、青色光の利用効率を向上させることにより、補うものである。
【００１３】
（２）上記（１）項において、前記導光板の少なくとも一方の主面に、ドットパターンが形成されている面状照明装置（請求項１）。
本項に記載の面状照明装置は、青色光反射手段により、導光板の端面側から漏れ出る青色光を反射させて再び導光板に入射させた光が、導光板の少なくとも一方の主面に形成されたドットパターンにより偏向され、導光板の主面から出射される。よって、導光板内の伝播の過程で吸収された白色光の青色成分を、青色光反射手段による青色光の導光板への再入射と、ドットパターンによる再入射光の偏向作用の相乗効果によって補完し、入光面側と対向する端面（終端面）側における、照明光の色のアンバランスを解消するものである。
【００１４】
（３）上記（２）項において、前記ドットパターンの面積密度は、前記一側端面からの距離に応じて増大する面状照明装置（請求項２）。
本項に記載の面状照明装置は、導光板の少なくとも一方の主面に形成されたドットパターンの面積密度が、一側端面からの距離に応じて増大することにより、ドットパターンによる再入射光の偏向作用を、一側端面からの距離に応じて増大させるものである。そして、導光板内の伝播の過程で吸収された白色光の青色成分を、青色光反射手段による青色光の導光板への再入射と、ドットパターンによる一側端面からの距離に応じて増大する再入射光の偏向作用の、相乗効果によってバランスよく補完し、入光面側と対向する端面（終端面）側における、照明光の色のアンバランスを、より効果的に解消するものである。
【００１５】
（４）上記（１）から（３）項において、前記青色光反射手段は、前記導光板の側端面を囲うようにして配置されるハウジングフレームにより構成される面状照明装置（請求項３）。
本項に記載の面状照明装置は、青色光反射手段を構成する、導光板の側端面を囲うようにして配置されるハウジングフレームにより、導光板の側端面から漏れ出る青色光を反射させて再び導光板に入射させて、青色光の利用効率を向上させることにより、青色光の光束の低下を補うものである。なお、この場合には、ハウジングフレーム自体の、少なくとも導光板の一側端面と対向する端面に面する部分が、青色光反射素材により構成されるものである。
【００１６】
（５）上記（１）から（３）項において、前記青色光反射手段は、前記導光板の側端面を囲うようにして配置されるハウジングフレームと前記導光板との間に配置される面状照明装置（請求項３）。
本項に記載の面状照明装置は、ハウジングフレームと前記導光板との間に配置される青色光反射手段によって、導光板の側端面から漏れ出る青色光を反射させ再び導光板に入射させて、青色光の利用効率を向上させるものである。
この場合の青色光反射手段は、例えば、青色光反射素材からなるプレート、フィルムや、青色光反射素材が塗布されたプレート、フィルムを、ハウジングフレームと導光板との間に配置する。又、これらプレート、フィルムを、導光板の一側端面と対向する端面に貼り付け、又は、ハウジングフレームの該端面と対向する部分に貼り付ける。更には、導光板の一側端面と対向する端面、又は、ハウジングフレームの該端面と対向する部分に、青色光反射素材を塗布することとする。
【００１７】
（６）上記（１）から（４）項において、前記白色光源は白色ＬＥＤからなり、前記青色光反射手段は、波長４５０ｎｍ近辺での分光反射率が大きい面状照明装置（請求項４）。
【００１８】
本項に記載の面状照明装置は、白色ＬＥＤからの出射光が、導光板の一側端面から導光板の内部へと入射した後、主面ともう一方の主面との間で反射を繰返しながら一側端面と対向する端面側へ伝播し、その過程で、白色光の一部が主面から出射し、液晶パネル等の被照明体を照射する。この際、導光板内の伝播の過程で白色光の青色成分が吸収されて、主面からの出射光における青色光の光束は、入光面側から終端面側に向かって次第に低下する。かかる青色光の光束の低下を、導光板の少なくとも一側端面と対向する端面に配置された青色光反射手段により、導光板の端面側から漏れ出る青色光を反射させて再び導光板に入射させて、青色光の利用効率を向上させることにより、補うものである。
特に、白色ＬＥＤの典型的な分光光度は、波長４５０ｎｍ付近に鋭いピークを示す部分が発光素子から直接放射される青色光に相当しており、分光反射率が波長４５０ｎｍ近辺で大きい青色光反射手段を用いることで、青色光の利用効率を最適化するものである。
【００１９】
（７）上記（１）から（６）項において、前記導光板は、ポリカーボネート樹脂からなる面状照明装置（請求項５）。
本項に記載の面状照明装置は、導光板を構成するポリカーボネート樹脂の分光光線透過率が、特に、青色光に相当する短波長側の波長領域において顕著に低下し、導光板内の伝播の過程で白色光の青色成分が吸収されて、主面からの出射光における青色光の光束は、入光面側から終端面側に向かって次第に低下することになる。かかる青色光の光束の低下を、導光板の少なくとも一側端面と対向する端面に配置された青色光反射手段により、導光板の端面側から漏れ出る青色光を反射させて再び導光板に入射させ、青色光の利用効率を向上させることにより、補うものである。
【発明の効果】
【００２０】
本発明に係る面状照明装置によれば、従来の導光板材料を使用しながら、光源側と光源に対向する側との出射光の色変化を改善することが可能となる。
【図面の簡単な説明】
【００２１】
【図１】（ａ）は、本発明の実施の形態に係る面状照明装置の要部を示す分解斜視図であり、（ｂ）は、（ａ）の青色光反射手段の分光反射率特性を示すグラフであり、（ｃ）は、（ａ）の導光板の別形態を示す平面図である。
【図２】（ａ）本発明の実施の形態に係る面状照明装置の斜視図であり、（ｂ）は、（ａ）に示される面状照明装置の色度の改善効果を例示するグラフである。
【図３】従来の面状照明装置の要部を示す分解斜視図である。
【図４】白色ＬＥＤの典型的な分光光度を示すグラフである。
【発明を実施するための形態】
【００２２】
以下、本発明の実施の形態を図面に基づいて説明する。図１（ａ）は、本発明の一実施形態における面状照明装置１０の要部を示す分解斜視図である。この面状照明装置１０は、導光板１２と、導光板１２の一側端面である入光面１２ｃの側方に配置された複数（本実施形態では３個）の白色光源１４と、導光板１２の出射面（主面）１２ａと対向する下面（もう一方の主面）１２ｂに配置された、正反射手段又は拡散反射手段としての光反射シート１６とを備えている。又、導光板１２は、透明樹脂材料を成形してなる板状の導光体であり、本実施形態では、ポリカーボネート樹脂からなるものである。したがって、導光板１２は、従来技術で説明したような分光透過率特性を有する。
【００２３】
更に、従来と同様に、導光板１２の少なくとも一方の主面１２ａ、１２ｂには、複数のドットが設けられている。ドットは後述の如く微細なものであることから、図１での図示は省略するが、その形成方法としては、例えば、導光板１２の表面にポリカーボネート樹脂により一体成形する方法、導光板１２の表面をマット化する方法、特定のくさび型加工を施す方法、所定のインク等をスクリーン印刷や蒸着させる方法が挙げられる。スクリーン印刷により形成する場合のインクとしては、光を乱反射させるための微粒子を含む揮発硬化型又は紫外線硬化型のインク等が挙げられる。
【００２４】
また、導光板１２の主面（１２ａ又は１２ｂ）に形成されたドットパターンの面積密度は、従来と同様に、全体として、一側端面１２ｃからの距離に応じて増大するように構成されている。ドットパターンの面積密度が高くなるように形成する方法としては、例えば、ドットのピッチ（中心間距離）を一定とし、一側端面１２ｃからの距離に応じて、ドット面積を高めていく方法や、ドット面積を一定とし、一側端面１２ｃからの距離に応じて、ドットのピッチを短くしていく方法等が挙げられる。また、ドットを形成する場合、ドット面積は、例えば、０．００５〜０．１３ｍｍ２である。ドットのピッチは、例えば、０．０８〜０．３ｍｍである。単位面積当たりに占めるドットの面積、すなわちドット占有密度（面積密度）は、一例として、５％から５０％へと増大させる。又、ドットの配列については、導光板１２の縦方向及び横方向にそれぞれ平行に配列されていても良く、一部ずれるようにして配列されてもよい。
【００２５】
又、白色光源１４は、青色発光ＬＥＤチップを、硬質シリコーン系樹脂中に黄色発光の蛍光体であるセリウムで付活されたイットリウム・アルミニウム・ガーネット（ＹＡＧ）微粒子を混入した透光性樹脂で封止した構造の白色ＬＥＤであり、図４に示すような分光光度を有するものである。これら導光板１２、白色光源１４、光反射シート１６は、各々、従来技術（図３参照）の導光板１０１、白色ＬＥＤ１０２、光反射シート１０３に該当するものである。
更に、導光板１２の出射面１２ａには、光拡散板等の光学シート１８が適宜配置される。そして、これら導光板１２、白色光源１４、光反射シート１６、光学シート１８が、導光板１２の側端面を囲うようにして配置されるハウジングフレーム２０によって、正確に位置決めされている。
【００２６】
ハウジングフレーム２０は、青色光の反射率が増大するように、それ自体が、青色光反射素材により構成されるものである。なお、ここで用いられる青色光反射素材は、図１（ｂ）に示されるような分光反射率特性を有するもので、少なくとも波長４５０ｎｍ近辺の反射率が高い値となるものが適している。
【００２７】
又、ハウジングフレーム２０とは別の青色光反射手段を、ハウジングフレーム２０と導光板１２との間の、少なくとも、一側端面１２ｃと対向する端面（終端面）１２ｄに配置することとしても良い。この場合の青色光反射手段は、例えば、青色光反射素材からなるプレート、フィルムや、青色光反射素材が塗布されたプレート、フィルムを、ハウジングフレーム２０と導光板１２との間に配置するものである。又、これらプレート、フィルムを、導光板１２の終端面１２ｄに貼り付け、又は、ハウジングフレーム２０の、終端面１２ｄと対向する部分２０ａに貼り付けることとしても良い。更には、導光板１２の終端面１２ｄ、又は、ハウジングフレーム２０の、終端面１２ｄと対向する部分２０ａに、青色光反射素材を塗布することとしても良い。これらの場合であっても、各々に用いられる青色光反射素材は、図１（ｂ）に示されるような分光反射率特性を有するものであり、少なくとも波長４５０ｎｍ近辺の反射率が高い値となるものが適している。
【００２８】
又、図１（ｃ）に示されるように、全体として四角形をなす導光板１２の隅角に面取り形状部を設けて、この面取り形状部を入光面１２ｃとして、白色光源１４を配置することとしても良い。この場合には、入光面１２ｃと対向する二端面が終端面１２ｄとなり、ハウジングフレーム２０とは別のプレート、フィルム等からなる青色光反射手段を用いる場合には、少なくともこれら二端面に、青色光反射手段が配置されることとなる。すなわち、導光板１２の入光面１２ｃが如何なる形態であっても、少なくともそれと対向する端面に、青色光反射手段が配置されていれば良い。
【００２９】
さて、上記構成をなす本発明の実施の形態によれば、次のような作用効果を得ることが可能となる。
本項に記載の面状照明装置１０は、白色光源１４である白色ＬＥＤからの出射光が、導光板１２一側端面１２ｃから導光板１２の内部へと入射した後、主面１２ａともう一方の主面１２ｂとの間で反射を繰返しながら一側端面１２ｃと対向する端面側１２ｄへ伝播し、その過程で、白色光の一部が主面１２ａから出射し、液晶パネル等の被照明体を照射する。この際、導光板１２内の伝播の過程で白色光の青色成分が吸収されて、主面１２ａからの出射光における青色光の光束は、入光面側から終端面側に向かって次第に低下する。かかる青色光の光束の低下を、導光板１２の少なくとも一側端面１２ｃと対向する端面１２ｄに配置された青色光反射手段により、導光板１２の端面側から漏れ出る青色光を反射させて再び導光板１２に入射させて、青色光の利用効率を向上させることにより、補うものである。
【００３０】
又、導光板１２の少なくとも一方の主面（１２ａ又は１２ｂ）には、主面（出射面）１２ａから効率的に光を出射させるために、ドットパターンが形成されている。このため、青色光反射手段で、導光板１２の端面側から漏れ出る青色光を反射させて再び導光板１２に入射させた光が、ドットパターンにより偏向され、導光板の主面１２から出射されることとなる。
しかも、本実施形態では、ドットパターンは、出射面１２ａから出射する光の輝度分布を向上させるために、全体として、面積密度が一側端面１２ｃからの距離に応じて増大するように形成されている。このため、ドットパターンによる再入射光の偏向作用を、一側端面１２ｃからの距離に応じて増大させることができる（言い換えれば、終端面１２ｄ側ほどドットの面積密度が大きくなり、終端面１２ｄ側から導光板１２に再入射された青色光は、終端面１２ｄ側ほど多く出射面１２ａから出射されることになる）。これにより、導光板１２内の伝播の過程で吸収された白色光の青色成分を、青色光反射手段による青色光の導光板１２への再入射と、ドットパターンによる一側端面からの距離に応じて増大する再入射光の偏向作用の、相乗効果によってバランスよく補完し、終端面１２ｄ側における、照明光の色のアンバランスを、より効果的に解消するものである。
【００３１】
又、この青色光反射手段を、導光板１２の側端面を囲うようにして配置されるハウジングフレーム２０により構成することで、導光板１２の側端面から漏れ出る青色光を反射させて再び導光板に入射させて、青色光の利用効率を向上させることにより、青色光の光束の低下を補うことができる。なお、この場合には、ハウジングフレーム２０自体の、少なくとも導光板１２の一側端面１２ｃと対向する端面１２ｄに面する部分が、青色光反射素材により構成されるものである。
【００３２】
又、ハウジングフレーム２０とは別の青色光反射手段として、例えば、青色光反射素材からなるプレート、フィルムや、青色光反射素材が塗布されたプレート、フィルムを、ハウジングフレーム２０と導光板１２との間に配置することとしても、同様の作用効果を得ることが出来る。これらプレート、フィルムは、導光板１２の終端面１２ｄに貼り付け、又は、ハウジングフレーム２０の、終端面１２ｄと対向する部分２０ａに貼り付ける。更には、導光板１２の終端面１２ｄ、又は、ハウジングフレーム２０の、終端面１２ｄと対向する部分２０ａに、青色光反射素材を塗布することとしても良い。
【００３３】
又、白色ＬＥＤの典型的な分光光度は、図４に示されるように、波長４５０ｎｍ付近に鋭いピークを示す部分が発光素子から直接放射される青色光に相当しており、分光反射率が波長４５０ｎｍ近辺で大きい青色光反射手段を用いることで、青色光の利用効率を最適化することができる。
【００３４】
さて、図２には、本発明の実施の形態に係る面状照明装置の色度ｘ、ｙを、従来技術に係る面状照明装置の色度と対比したものである。
この例では、導光板１２の入光面１２ｃ（図１）からの距離をＸｍｍとし、入光面１２ｃに近い測定点から順にＰ１〜Ｐ５として、色彩輝度計を用いて各測定点Ｐ１〜Ｐ５の色度を測定した。そして、測定点間の色度差を、数式Δｘｙ＝√（（ｘ１−ｘ２）２＋（ｙ１−ｙ２）２））に当てはめて算出したところ、色度差が最大の測定点（Ｐ２、Ｐ５）の値の比較で、Δｘｙ＝０．０１１からΔｘｙ＝０．００５へと改善が見られた。よって、導光板１２による青色成分の吸収の影響を補正し、導光板１２からの出射光の終端面１２ｄ側での黄変に対して、改善効果が得られることが明らかとなった。
【符号の説明】
【００３５】
１０ 面状照明装置、１２ 導光板、１２ａ：出射面、１２ｂ：下面、１２ｃ：入光面、１２ｄ：終端面、１４：白色光源（白色ＬＥＤ）、２０：ハウジングフレーム、２０ａ：導光板の終端面と対向する部分
【図１】
2012094283.tif 000003
【図２】
2012094283.tif 000004
【図３】
2012094283.tif 000005
【図４】
2012094283.tif 000006